(57)【要約】【課題】  連続帳票のうち所望帳票にミシン目を容易かつ確実に形成すること。【解決手段】  連続帳票のミシン目加工装置１０は、連続帳票２０の一側に設けられたミシン胴１１と、連続帳票２０の他側に設けられた受胴１２と、ミシン胴１１を保持する偏芯軸１３とを有している。連続帳票２０のうち帳票２０ｂに設けられたミシンマーク２２が、検出部１７により読み取られる。検出部１７からの信号が制御部３０に送られ、制御部３０によってサーボモータ２６が駆動して偏芯軸１３が回転し、受胴１２に対してミシン胴１１が当接する。同時にミシン胴１１がモータ１１ａにより回転し、ミシン胴１１により連続帳票２０の所望帳票２０ｂにミシン目２１が形成される。【選択図】  図１
2005144637.tif 000002
【特許請求の範囲】
【請求項１】
ミシンマークを有する帳票を少なくとも有する印刷済連続帳票のうち、当該ミシンマークを有する帳票に対してミシン目を形成するミシン目加工装置において、
連続帳票の一側に設けられたミシン胴と、
連続帳票の他側に設けられミシン胴を受ける受胴と、
ミシン胴に連結された駆動機構と、
連続帳票のミシンマークを読み取る検出部と、
検出部からの信号に基づいて駆動機構を制御して、ミシン胴により連続帳票を受胴側へ押圧してミシンマークを有する帳票に対してミシン目を形成する制御部と、を備えたことを特徴とする連続帳票のミシン目加工装置。
【請求項２】
駆動機構はミシン胴に連結された偏芯軸を有し、偏芯軸が回転することによりミシン胴が受胴に対して離接することを特徴とする請求項１記載の連続帳票のミシン目加工装置。
【請求項３】
偏芯軸はサーボモータにより回転駆動されることを特徴とする請求項２記載の連続帳票のミシン目加工装置。
【請求項４】
駆動機構は、ミシン胴を回転駆動するモータを有することを特徴とする請求項１乃至３のいずれか記載の連続帳票のミシン目加工装置。
【発明の詳細な説明】
【技術分野】
【０００１】
本発明は、複数の帳票からなる印刷済の連続帳票に対してミシン目加工を施す連続帳票のミシン目加工装置に関する。
【背景技術】
【０００２】
従来より、個人向けの教材、マニュアル、申込書、通知資料及びＤＭ等の冊子を製造するため複数の帳票からなる印刷済の連続帳票が用いられている。
【０００３】
このような連続帳票は、単位帳票毎に重ね合わされ、必要な部分にのりが塗布され、各単位帳票をのり付けすることにより冊子が製造される。
【発明の開示】
【発明が解決しようとする課題】
【０００４】
上述のような冊子において、使用者が冊子の一部を切り取って発送元へ送り返す必要が生じることがある。
【０００５】
このような場合、使用者は、冊子の一部をカッタにより切取っているが、冊子の所望位置にミシン目が形状されていると、切取り作業を容易に行なうことができて都合がよい。
【０００６】
本発明は、このような点を考慮してなされたものであり、冊子を製造するための連続帳票に予めミシン目を形状しておくことができる連続帳票のミシン目加工装置を提供することを目的とする。
【課題を解決するための手段】
【０００７】
本発明は、ミシンマークを有する帳票を少なくとも有する印刷済連続帳票のうち、当該ミシンマークを有する帳票に対してミシン目を形成するミシン目加工装置において、
連続帳票の一側に設けられたミシン胴と、連続帳票の他側に設けられミシン胴を受ける受胴と、ミシン胴に連結された駆動機構と、連続帳票のミシンマークを読み取る検出部と、検出部からの信号に基づいて駆動機構を制御して、ミシン胴により連続帳票を受胴側へ押圧してミシンマークを有する帳票に対してミシン目を形成する制御部と、を備えたことを特徴とする連続帳票のミシン目加工装置である。
【０００８】
本発明は、駆動機構はミシン胴に連結された偏芯軸を有し、偏芯軸が回転することによりミシン胴が受胴に対して離接することを特徴とする連続帳票のミシン目加工装置である。
【０００９】
本発明は、偏芯軸はサーボモータにより回転駆動されることを特徴とする連続帳票のミシン目加工装置である。
【００１０】
本発明は、駆動機構は、ミシン胴を回転駆動するモータを有することを特徴とする連続帳票のミシン目加工装置である。
【発明の効果】
【００１１】
以上のように、本発明によれば、連続帳票のうちミシンマークを有する帳票に対して、迅速かつ確実にミシン目を形成することができる。このためミシン目が形成された連続帳票を用いて、ミシン目をもった冊子を確実に作製することができる。
【発明を実施するための最良の形態】
【００１２】
以下、図面を参照して本発明の実施の形態について説明する。
【００１３】
図１乃至図３は、本発明による連続帳票のミシン目加工装置の一実施の形態を示す図である。
【００１４】
図１乃至図３に示すように、ミシン目加工装置は、連続帳票の所望帳票に対してミシン目を形成するものである。
【００１５】
すなわち、冊子を製造するため印刷済の連続帳票２０が供給され、本発明によるミシン目加工装置１０によって後述する所望帳票２０ｂに対してミシン目２１が形成される。
【００１６】
そしてミシン目２１が形成された連続帳票２０は、その後、冊子製本装置（図示せず）へ送られる。
【００１７】
次に図３により、ミシン目加工装置１０へ送られる連続帳票２０について説明する。連続帳票２０は、例えば一つの冊子を製造するための第１頁帳票２０ａ、第２頁帳票２０ｂ、第３頁帳票２０ｃ、および第４頁帳票２０ｄを有している。
【００１８】
これら各単位帳票２０ａ、２０ｂ、２０ｃ、２０ｄには、予め対応する印刷が施されており、このうち帳票２０ｂは冊子から切り取られ、必要な事項を記入した後、使用者から発送元へ送り返される帳票となっている。
【００１９】
このため帳票２０ｂにはミシン目２１を加工する必要があり、この帳票２０ｂにはミシンマーク２２が予め印刷により設けられている。
【００２０】
また上記帳票２０ａ、２０ｂ、２０ｃ、２０ｄのうち、第４頁帳票２０ｄ以外の帳票２０ａ、２０ｂ、２０ｃにのりが塗布されるようになっている。このため、第４頁帳票２０ｄにはのり塗布禁止マーク２３が予め印刷されている。また、すべての帳票２０ａ、２０ｂ、２０ｃ、２０ｄには、カットマーク２４が予め印刷されている。
【００２１】
次に図１および図２により連続帳票のミシン目加工装置１０について述べる。連続帳票のミシン目加工装置１０は、連続帳票２０の上方側（一側）に設けられたミシン胴１１と、連続帳票２０の下方側（他側）に設けられミシン胴１１との間で連続帳票２０を受ける受胴１２とを備えている。
【００２２】
このうち、ミシン胴１１と受胴１２との間で、連続帳票２０のうちの帳票２０ｂに対してミシン目２１を形成するようになっている。
【００２３】
またミシン胴１１は軸芯１３ａを有する偏芯軸１３に、連結板１４を介して連結されており、このミシン胴１１は連結板１４に設けられたモータ１１ａにより回転駆動される。
【００２４】
さらに、連結板１４を支持する偏芯軸１３はフレーム２５により回転自在に保持され、偏芯軸１３はフレーム２５に取付けられたサーボモータ２６によりタイミングベルト２７を介して回転駆動される。
【００２５】
この場合、サーボモータ２６により偏芯軸１３を回転させることによってミシン胴１１が受胴１２から離接するようになっている。すなわち帳票２０ｂにミシン目２１を形成する場合はミシン胴１１を受胴１２に当接させ、帳票２０ｂにミシン目２１を形成しない場合はミシン胴１１を受胴１２から引離すようになっている。
【００２６】
なお、上記した、ミシン胴１１を保持する連結板１４，モータ１１ａ、偏芯軸１３、フレーム２５、サーボモータ２６およびタイミングベルト２７によって、ミシン胴１１を駆動する駆動機構が構成される。
【００２７】
またミシン胴１１および受胴１２の上流側には、連続帳票２０のミシンマーク２２を読み取る検出部１７が設けられている。さらにミシン胴１１および受胴１２の下流側には、連続帳票２０を送り出す駆動ローラ１９が設けられ、この駆動ローラ１９には連続帳票２０の送り量を求めるエンコーダ１９ａが設定されている。
【００２８】
検出部１７およびエンコーダ１９ａからの信号は、制御部３０に送られ、この制御部３０によってミシン胴１１用のモータ１１ａおよび偏芯軸１３用のサーボモータ２６を制御するようになっている。
【００２９】
次にこのような構成からなる本実施の形態の作用について説明する。
【００３０】
まず予め、検出部１７からミシン胴１１までの連続帳票２０の送り量が、駆動ローラ１９に設けられたエンコーダ１９ａのパルス数により設定される。また連続帳票２０の第２頁帳票（ミシン目２１が形成される帳票）２０ｂのミシンマーク２２の位置が、各帳票２０ａ、２０ｂ、２０ｃ、２０ｄのカットマーク２４からの位置に基づいてパルス数として設定される。
【００３１】
次に前工程の印刷工程において印刷された印刷済の連続帳票２０が、案内ローラ１８、１５、１６を経て駆動ローラ１９側へ送られ、この駆動ローラ１９により駆動される。
【００３２】
この間、検出部１７によって、連続帳票２０の各帳票２０ａ、２０ｂ、２０ｃに設けられたカットマーク２４が検出される。次にカットマーク２４を検出した検出部１７からの信号が制御部３０へ送られ、制御部３０はこの検出されたカットマーク２４に対応してミシンマーク２２を検出するよう検出部１７を制御する。
【００３３】
次に検出部１７が連続帳票２０の帳票２０ｂのミシンマーク２２を検出した場合、検出部１７からの信号に基づいて、制御部３０は検出部１７からミシン胴１１までのパルス数だけ連続帳票２０を送った後、サーボモータ２６を駆動させ、同時にモータ１１ａを駆動させる。
【００３４】
サーボモータ２６が回転駆動すると、これに伴って偏芯軸１３がその軸芯１３ａを中心として回転する。
【００３５】
この偏芯軸１３の回転により、ミシン胴１１が受胴１２側へ接近し、ミシン胴１１と受胴１２との間で連続帳票２０が押圧される。
【００３６】
このとき、モータ１１ａも回転駆動するため、ミシン胴１１と受胴１２との間で連続帳票２０の帳票２０ｂに所望のミシン目２１を形成することができる。
【００３７】
このとき制御部３０は、駆動ローラ１９のエンコーダ１９ａからの信号に基づいて、所定パルス数だけ連続帳票２０を送り、このようにして所望帳票２０ｂのみにミシン目２１を形成することができる。
【００３８】
次に制御部３０はサーボモータ２６を駆動させ、偏芯軸１３を軸芯１３ａを中心として回転させることによりミシン胴１１を受胴１２から引離す。同時に制御部３０はモータ１１ａを停止させる。
【００３９】
この間、検出部１７により、のり塗布禁止マーク２３も検出され、検出部１７からの信号に基づいて図示しないのり塗布装置により、のり塗布禁止マーク２３の帳票２０ｄ以外の帳票２０ａ、２０ｂ、２０ｃの所望位置にのりが塗布される。
【００４０】
このようにして帳票２０ｂに所望のミシン目２１を形成した後、連続帳票２０は駆動ローラ１９を介して冊子製本装置へ送られる。この冊子製本装置において、連続帳票２０は折り畳まれ、のり付けされて冊子が作製される。
【００４１】
以上のように本実施の形態によれば、冊子作製用の連続帳票２０のうち、所望帳票２０ｂに必要なミシン目２１を容易かつ迅速に形成することができる。
【図面の簡単な説明】
【００４２】
【図１】本発明による連続帳票のミシン目加工装置の一実施の形態を示す概略図。
【図２】ミシン胴と駆動機構を示す図。
【図３】印刷済の連続帳票を示す図。
【符号の説明】
【００４３】
１０  ミシン目加工装置
１１  ミシン胴
１１ａ  モータ
１２  受胴
１３  偏芯軸
１７  検出部
１９  駆動ローラ
１９ａ  エンコーダ
２０  連続帳票
２０ａ、２０ｂ、２０ｃ、２０ｄ  帳票
２１  ミシン目
２２  ミシンマーク
２３  のり塗布禁止マーク
２４  カットマーク
２６  サーボモータ
３０  制御部
【図１】
2005144637.tif 000003
【図２】
2005144637.tif 000004
【図３】
2005144637.tif 000005